【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
コンテンツのストレージファイルを記憶するストレージファイル記憶手段と、
ユーザがストレージを要求したコンテンツのストレージファイルが記憶されている領域を示す使用記憶領域情報を記憶するユーザデータ記憶手段と、
ユーザ毎に割り当てられ、該ユーザがストレージを要求したコンテンツのストレージファイルを記憶する個人記憶領域と、複数のユーザがストレージを要求したコンテンツのストレージファイルを記憶する共通記憶領域とからなる要求ストレージファイル記憶手段と、
ユーザのクライアント端末からコンテンツのストレージの要求を受け、該コンテンツのストレージファイルを前記ストレージファイル記憶手段から読み出して前記要求ストレージファイル記憶手段内の該ユーザの個人記憶領域へ書き込むとともに、該ストレージファイルを書き込んだ記憶領域を示す使用記憶領域情報を前記ユーザデータ記憶手段に書き込む要求ストレージファイル書込手段と、
複数のユーザの個人記憶領域に同じストレージファイルが記憶されている場合に、前記複数のユーザの個人記憶領域から前記同じストレージファイルを削除して、前記同じストレージファイルを前記共通記憶領域に書き込むとともに、書き込んだ記憶領域を示すように前記複数のユーザの前記同じストレージファイルに対応する使用記憶領域情報を更新する記憶領域管理手段と、
ユーザのクライアント端末からコンテンツの配信の要求を受け、要求されたコンテンツの使用記憶領域情報で示される記憶領域からストレージファイルを読み出して配信する配信手段と、
を備えることを特徴とするストレージシステム。
【請求項２】
コンテンツのストレージファイルを配信したクライアント端末のアドレス情報を記憶するコンテンツ関連情報記憶手段と、
前記配信手段がストレージファイルをクライアント端末へ配信したときに、該クライアント端末のアドレス情報を前記コンテンツ関連情報記憶手段へ書き込むコンテンツ関連情報管理手段と、
他のユーザのクライアント端末からコンテンツの配信の要求を受け、前記コンテンツ関連情報記憶手段から該コンテンツのストレージファイルを配信したクライアント端末のアドレス情報を読み出し、このアドレス情報を用いてアクセスしたクライアント端末から前記ストレージファイルを取得する配信済ストレージファイル取得手段とをさらに備える、
ことを特徴とする請求項１に記載のストレージシステム。
【請求項３】
コンテンツのストレージファイルを配信したクライアント端末のアドレス情報を記憶するコンテンツ関連情報記憶手段と、
前記配信手段がストレージファイルをクライアント端末へ配信したときに、該クライアント端末のアドレス情報を前記コンテンツ関連情報記憶手段へ書き込むコンテンツ関連情報管理手段と、
他のユーザのクライアント端末からコンテンツの配信の要求を受け、前記コンテンツ関連情報記憶手段から該コンテンツのストレージファイルを配信したクライアント端末のアドレス情報を読み出して該他のユーザのクライアント端末へ通知する通知手段とをさらに備える、
ことを特徴とする請求項１に記載のストレージシステム。
【請求項４】
前記配信手段は、要求された前記コンテンツのストレージファイルに併せて、該コンテンツに関連する他のコンテンツのストレージファイルを前記ユーザのクライアント端末へ配信する、
ことを特徴とする請求項１から請求項３のいずれかの項に記載のストレージシステム。
【請求項５】
ストレージの要求の頻度が所定より少ないコンテンツの前記ストレージファイル記憶手段内のストレージファイルを圧縮する圧縮手段をさらに備える、
ことを特徴とする請求項１から請求項４のいずれかの項に記載のストレージシステム。
【請求項６】
前記ユーザデータ記憶手段は、ユーザ属性情報をさらに記憶し、
ユーザデータ管理手段は、前記ユーザのクライアント端末から興味のあるコンテンツの情報を受信し、この興味のあるコンテンツから特定されるユーザ属性情報を前記ユーザデータ記憶手段内に書き込む、
ことを特徴とする請求項１から請求項５のいずれかの項に記載のストレージシステム。
【請求項７】
前記ユーザデータ記憶手段は、前記ユーザ行動履歴情報をさらに記憶し、
前記ユーザデータ管理手段は、前記ユーザのクライアント端末からコンテンツの視聴情報を受信し、この視聴情報を前記ユーザデータ記憶手段内のユーザ行動履歴情報に書き込む、
ことを特徴とする請求項１から請求項６のいずれかの項に記載のストレージシステム。
【請求項８】
前記配信手段は、前記ユーザ行動履歴情報で示される視聴されたコンテンツに関連する他のコンテンツのストレージファイルを前記ユーザのクライアント端末へ配信する、
ことを特徴とする請求項７に記載のストレージシステム。
【請求項９】
前記コンテンツ関連情報記憶手段は、コンテンツのストレージファイルを配信したユーザの統計情報を記憶し、
前記コンテンツ関連情報管理手段は、前記ユーザデータ記憶手段内のユーザ属性情報またはユーザ行動履歴情報を基にした統計情報を前記コンテンツ関連情報記憶手段に書き込む、
ことを特徴とする請求項１から請求項８のいずれかの項に記載のストレージシステム。
【請求項１０】
前記ストレージファイルは、番組及び広告コンテンツデータからなり、
前記配信手段は、前記コンテンツデータ内の広告コンテンツデータを、配信日時、前記ユーザのユーザ属性情報またはユーザ行動履歴情報に応じた他の広告コンテンツデータと入れ替えて配信する、
ことを特徴とする請求項１から請求項９のいずれかの項に記載のストレージシステム。
【請求項１１】
前記ストレージファイルは、番組及び広告コンテンツデータからなり、
前記配信手段は、番組コンテンツデータを暗号化するとともに、広告コンテンツデータに前記暗号化された番組コンテンツデータを復号するための鍵情報を付加して配信する、
ことを特徴とする請求項１から請求項１０のいずれかの項に記載のストレージシステム。
【請求項１２】
ネットワークを介して接続されるストレージシステムにストレージしたコンテンツのストレージファイルを読み出して再生するクライアント端末であって、
コンテンツのストレージファイルを記憶するストレージファイル記憶手段と、
前記ストレージシステムにユーザがストレージしたコンテンツのストレージファイルを読み出して前記ストレージファイル記憶手段に書き込むストレージファイル書込手段と、
前記ストレージファイル記憶手段からコンテンツのストレージファイルを読み出して出力する出力制御手段と、
前記コンテンツの視聴に関する情報である視聴情報を前記ストレージシステムへ送信する情報送信手段と、
を備えることを特徴とするクライアント端末。
【請求項１３】
前記ストレージファイルは、暗号化された番組コンテンツデータと、前記暗号化されたコンテンツデータを復号するための鍵情報を付加した広告コンテンツデータとからなり、
前記出力制御手段は、広告コンテンツデータの出力後、該広告コンテンツデータに付加された鍵情報により、前記暗号化された番組コンテンツデータを復号して出力する、
ことを特徴とする請求項１２に記載のクライアント端末。
【請求項１４】
ユーザが要求したコンテンツのストレージファイルをストレージするストレージシステムに用いられるストレージ方法であって、
コンテンツのストレージファイルを記憶するストレージファイル記憶手段と、
ユーザがストレージを要求したコンテンツのストレージファイルが記憶されている領域を示す使用記憶領域情報を記憶するユーザデータ記憶手段と、
ユーザ毎に割り当てられ、該ユーザがストレージを要求したコンテンツのストレージファイルを記憶する個人記憶領域と、複数のユーザがストレージを要求したコンテンツのストレージファイルを記憶する共通記憶領域とからなる要求ストレージファイル記憶手段とを用意し、
ユーザのクライアント端末からコンテンツのストレージの要求を受け、該コンテンツのストレージファイルを前記ストレージファイル記憶手段から読み出して前記要求ストレージファイル記憶手段内の該ユーザの個人記憶領域へ書き込むとともに、該ストレージファイルを書き込んだ記憶領域を示す使用記憶領域情報を前記ユーザデータ記憶手段に書き込み、
複数のユーザの個人記憶領域に同じストレージファイルが記憶されている場合に、前記複数のユーザの個人記憶領域から前記同じストレージファイルを削除して、前記同じストレージファイルを前記共通記憶領域に書き込むとともに、書き込んだ記憶領域を示すように前記複数のユーザの前記同じストレージファイルに対応する使用記憶領域情報を更新し、
ユーザのクライアント端末からコンテンツの配信の要求を受け、要求されたコンテンツの使用記憶領域情報で示される記憶領域からストレージファイルを読み出して配信する、
ことを特徴とするストレージ方法。
【請求項１５】
コンテンツのストレージファイルを配信したクライアント端末のアドレス情報を記憶するコンテンツ関連情報記憶手段をさらに用意し、
ストレージファイルをクライアント端末へ配信したときに、該クライアント端末のアドレス情報を前記コンテンツ関連情報記憶手段へ書き込み、
他のユーザのクライアント端末からコンテンツの配信の要求を受け、前記コンテンツ関連情報記憶手段から該コンテンツのストレージファイルを配信したクライアント端末のアドレス情報を読み出して該他のユーザのクライアント端末へ通知する、
ことを特徴とする請求項１４に記載のストレージ方法。
【請求項１６】
ネットワークを介して接続されるストレージシステムにストレージしたコンテンツのストレージファイルを読み出して再生するクライアント端末に用いられるコンテンツ再生方法であって、
コンテンツのストレージファイルを記憶するストレージファイル記憶手段を用意し、
前記ストレージシステムにユーザがストレージしたコンテンツのストレージファイルを読み出して前記ストレージファイル記憶手段に書き込み、
前記ストレージファイル記憶手段からコンテンツのストレージファイルを読み出して出力し、
前記コンテンツの視聴に関する情報である視聴情報を前記ストレージシステムへ送信する、
ことを特徴とするコンテンツ再生方法。
【請求項１７】
コンテンツのストレージファイルを記憶するストレージファイル記憶手段と、
ユーザがストレージを要求したコンテンツのストレージファイルが記憶されている領域を示す使用記憶領域情報を記憶するユーザデータ記憶手段と、
ユーザ毎に割り当てられ、該ユーザがストレージを要求したコンテンツのストレージファイルを記憶する個人記憶領域と、複数のユーザがストレージを要求したコンテンツのストレージファイルを記憶する共通記憶領域とからなる要求ストレージファイル記憶手段とを備え、
ユーザが要求したコンテンツのストレージファイルをストレージするストレージシステムに用いられるコンピュータプログラムであって、
ユーザのクライアント端末からコンテンツのストレージの要求を受け、該コンテンツのストレージファイルを前記ストレージファイル記憶手段から読み出して前記要求ストレージファイル記憶手段内の該ユーザの個人記憶領域へ書き込むとともに、該ストレージファイルを書き込んだ記憶領域を示す使用記憶領域情報を前記ユーザデータ記憶手段に書き込むステップと、
複数のユーザの個人記憶領域に同じストレージファイルが記憶されている場合に、前記複数のユーザの個人記憶領域から前記同じストレージファイルを削除して、前記同じストレージファイルを前記共通記憶領域に書き込むとともに、書き込んだ記憶領域を示すように前記複数のユーザの前記同じストレージファイルに対応する使用記憶領域情報を更新するステップと、
ユーザのクライアント端末からコンテンツの配信の要求を受け、要求されたコンテンツの使用記憶領域情報で示される記憶領域からストレージファイルを読み出して配信するステップと、
をコンピュータに実行させることを特徴とするコンピュータプログラム。
【請求項１８】
ネットワークを介して接続されるストレージシステムにストレージしたコンテンツのストレージファイルを読み出して再生するクライアント端末に用いられるコンピュータプログラムであって、
前記ストレージシステムにユーザがストレージしたコンテンツのストレージファイルを読み出してストレージファイル記憶手段に書き込むステップと、
前記ストレージファイル記憶手段からコンテンツのストレージファイルを読み出して出力するステップと、
前記コンテンツの視聴に関する情報である視聴情報を前記ストレージシステムへ送信するステップと、
をコンピュータに実行させることを特徴とするコンピュータプログラム。